(57)【要約】【課題】  設置する音響機器・照明器具を載置して、任意の高さに容易に調整可能な支持棒を用いた支持用具を提供する事である。【解決手段】  インナーパイプ（１）の一方の端部に取付金具（２）を設け、アウターパイプ（３）の一方の端部に取付金具（５）と、もう一方の端部にインナーパイプを締付けて固定と摺動ができる締付金具（４）を設け、アウターパイプの内部を摺動するインナーパイプ内に、少なくとも１個以上のダンパー（６，７）と、パイプ内にダンパーの軸心を設定する少なくとも２個所の位置決金具（８，９，１０）を設けたものである。【選択図】図１
2008014478.tif 000002
【特許請求の範囲】
【請求項１】
インナーパイプ（１）の一方の端部に取付金具（２）を設け、アウターパイプ（３）の一方の端部に取付金具（５）と、もう一方の端部にインナーパイプを締付けて固定と摺動ができる締付金具（４）を設け、アウターパイプの内部を摺動するインナーパイプ内に、少なくとも１個以上のダンパー（６，７）と、パイプ内にダンパーの軸心を設定する位置決金具（８，９，１０）の内、少なくとも２個所に位置決金具を設けた事を特徴とするダンパー内蔵の支持棒。
【発明の詳細な説明】
【技術分野】
【０００１】  本発明は、室内・室外のステージに設置する音響設備（スピーカー）や照明器具を支持する用具であり、特に内蔵したダンパーの位置決めを簡略化する事に関するものである。
【背景技術】
【０００２】  室内外のステージに設置する音響設備や照明器具は、通常１０ｋｇ〜８０ｋｇの重さがあり、その設置位置や高さが重要なポイントとなる。
何故なら、音響設備ならハウリング防止する為にスピーカの方向・高さを微妙に調整する。また、照明器具は、投光の位置・方向・高さを調整する必要がある。【０００３】  そこで、本発明者は、設置する音響機器や照明器具（１０ｋｇ〜８０ｋｇ）の設置には、作業者に重労働を強いる問題と、微妙な調整を必要とする問題を容易にする方法を考えたのである。
【発明が解決しょうとする課題】
【０００４】  本発明は、このような問題点を鑑みてなされたものであり、設置する音響機器・照明器具を載置して、任意の高さに容易に調整可能な支持棒を用いた支持用具を提供する事である。
【課題を解決するための手段】
【０００５】  インナーパイプ（１）の一方の端部に取付金具（２）を設け、アウターパイプ（３）の一方の端部に取付金具（５）と、もう一方の端部にインナーパイプを締付けて固定と摺動ができる締付金具（４）を設け、アウターパイプの内部を摺動するインナーパイプ内に、少なくとも１個以上のダンパー（６，７）と、パイプ内にダンパーの軸心を設定する少なくとも２個所の位置決金具（８，９，１０）を設けたものである。
【発明を実施するための最良の形態】
【０００６】  インナーパイプ１とアウターパイプ３は、円形の筒体からなり、インナーパイプ１は、アウターパイプ３の内部を摺動できる間隔を保持しているものである。
また、アウターパイプの端部に設けた締付金具４は、ねじ溝を切り込んだ物であり、締付金具４を回すことで、アウターパイプ３に設けた切込溝とねじ溝がインナーパイプを締め付けて固定できる構造である。【０００７】  ２本のダンパー６，７のピストンロッド６ａ，７ａの先端を互いに溶接し、シリンダー部分を力が加わると軸心で固定するように、２本のダンパー６，７がパイプ内部で一直線状にする位置決金具である。【０００８】  位置決金具８は、筒体でありダンパー６の位置決めする為に、アウターパイプ３の内部で固定する。【０００９】  位置決金具９は、ピストンロッド６ａ，７ａの略中間部で溶接するピン状のもので、インナーパイプ１内をピストンロッドと共に摺動する構造である。【００１０】  位置決金具１０は、回動できる車輪の軸をダンパー７の端部に溶接により固定したものであり、ダンパー７の加わる歪んだ力を車輪の移動により、分散させてインナーパイプ１とアウターパイプ３の上下動の動きを滑らかにするものである。
【発明の効果】
【００１１】  野外ステージでの、設置する音響機器は、かなりの重量物があり、特にスピーカ（３００Ｗ出力）の場合には、１個当たり８９ｋｇの重量があり、通常６個〜１２個を倉庫からの積み出し、野外ステージで設置作業をする。
この様に、設置する作業員には、重労働を作業者に強いる問題があったが、本発明の支持棒上部にスピーカを取付ける事により、容易に移動できるので作業者の負担が軽くなった。
【００１２】  また、音響機器の設定には、ハウリング現象があり、スピーカの位置や高さを微妙に調整する必要があるが、支持棒内のダンパーが圧縮力に反発して支持するので、軽い力でスピーカを持ち上げ・持ち下げができ、設置後にハウリング現象の除去するための調整が容易にできるようになった。
【００１３】  また、照明器具（１０ｋｇ〜８０ｋｇ）の設置にも、作業者に重労働を強いる問題と、出演者や出品物に投光する場合に、照明の高さや方向を調整する必要があるが、支持棒内のダンパーが圧縮力に反発して支持するので、照明器具を持ち上げ・持ち下げができ、設置後の調整が容易にできるようになった。
【００１４】  以下、図面を参照して、この発明の好適な実施例を例示的に詳しく説明する。ただし、この実施例に記載されている構成方法、構成装置、構成内容、構成部品、の寸法、材質、形状、その相対配置などは、特に特定的な記載がないかぎりは、この発明の範囲をそれらのみに限定する趣旨のものでなく単なる説明例にすぎない。
【実施例１】
【００１５】  図１により説明すると、インナーパイプ１の端面に、２個所の取付穴を設けた四角形状の取付金具２を垂直方向に溶接にて接合する。次に、アウターパイプ３の端面に、４個所程度の取付穴を設けた四角形の取付金具５を垂直方向に溶接にて接合し、もう一方の端部外側にねじ溝と切込溝を設け、内側にねじ溝を設けた締付金具４をアウターパイプ３に螺着したものである。【００１６】  位置決金具８は、筒体でありダンパー６の端部の位置決めする為に、アウターパイプ３の内部で背面に取付金具５で固定するものである。
位置決金具９は、ピストンロッド６ａ，７ａの略中間部で溶接するピン状のもので、インナーパイプ１内をピストンロッドと共に摺動する。よって、ピストンロッドに加わる圧縮力に対して、ピストンロッドの歪みを防ぎパイプに対して垂直を保持する働きがある。
位置決金具１０は、回動できる車輪の軸をダンパー７の端部に溶接により固定したものであり、ダンパー６，７に加わる歪んだ力を車輪の移動により、分散させてインナーパイプ１とアウターパイプ３の上下動の動きを滑らかにするものである。
【実施例２】
【００１７】    次に、ダンパー６，７の両端部に筒体の位置決金具８で固定して、ピストンロッド６ａ，７ａの略中間部でピン状の位置決金具９を使用する場合は、使用するパイプの直径が大きい場合に好適な様態の一例である。
【実施例３】
【００１８】  また、ダンパー６，７の両端部に、回動できる車輪の位置決金具１０で固定して、ピストンロッド６ａ，７ａの略中間部で位置決金具９を使用する場合は、インナーパイプ１とアウターパイプ３の直径が細い場合に好適な様態の一例である。
【図面の簡単な説明】
【００１９】
【図１】本発明の実施例１の断面図である。
【符号の説明】
【００２０】  １・・インナーパイプ
２，５・・取付金具
３・・アウターパイプ
４・・締付金具
６，７・・ダンパー
６ａ，７ａ・・ピストンロッド
８，９，１０・・位置決金具
【図１】
2008014478.tif 000003